【手続補正書】
【提出日】平成28年3月18日(2016.3.18)
【手続補正１】
【補正対象書類名】特許請求の範囲
【補正対象項目名】全文
【補正方法】変更
【補正の内容】
【特許請求の範囲】
【請求項１】
物体側から像側に順に、正の屈折力の第１レンズ群と、無限遠物体から近距離物体へのフォーカシングに際して像側に移動する負の屈折力の第２レンズ群と、第３レンズ群とにより構成される光学系であって、
０．５５＜Ｌｔｏｔ／ｆ＜０．７０
なる条件を満足し、
前記第１レンズ群は、物体側から像側に順に、第１の正レンズと、第２の正レンズと、負レンズと、回折光学素子とを含み、
前記第２の正レンズは、
０．０１＜ΔθｇＦ＿ｆｐ２＜０．０５
７０＜νｄ＿ｆｐ２＜１００
なる条件を満足する光学材料を用いて形成されており、
前記回折光学素子は、
０．８５＜｜ｈｄｏｅ／ｈｂｄｏｅ｜＜１．３０
なる条件を満足する位置に配置されていることを特徴とする光学系。
ただし、ｆおよびＬｔｏｔはそれぞれ、無限遠物体に合焦したときの全系の焦点距離および光学全長であり、
ΔθｇＦ＿ｆｐ２は、ΔθｇＦ＿ｆｐ２＝θｇＦ＿ｆｐ２−（−１．６６５×１０−７×νｄ＿ｆｐ２３＋５．２１３×１０−５×νｄ＿ｆｐ２２−５．６５６×１０−３×νｄ＿ｆｐ２＋０．７２７８）なる式で定義される異常部分分散比であり、
νｄ＿ｆｐ２およびθｇＦ＿ｆｐ２はそれぞれ、前記第２の正レンズに用いられる前記光学材料のｇ線、Ｆ線、ｄ線およびＣ線における屈折率をそれぞれｎｇ＿ｆｐ２，ｎＦ＿ｆｐ２，ｎｄ＿ｆｐ２およびｎＣ＿ｆｐ２とするときに、νｄ＿ｆｐ２＝（ｎｄ＿ｆｐ２−１）／（ｎＦ＿ｆｐ２−ｎＣ＿ｆｐ２）で表されるアッベ数およびθｇＦ＿ｆｐ２＝（ｎｇ＿ｆｐ２−ｎＦ＿ｆｐ２）／（ｎＦ＿ｆｐ２−ｎＣ＿ｆｐ２）で表される部分分散比であり、
ｈｄｏｅは近軸軸上光線が前記回折光学素子の回折光学面を通過する際の光軸からの高さであり、ｈｂｄｏｅは瞳近軸光線が前記回折光学面を通過する際の光軸からの高さである。
【請求項２】
以下の条件を満足することを特徴とする請求項１に記載の光学系。
０．０１＜ｆ／ｆｄｏｅ＜０．１０
ただし、ｆｄｏｅは前記回折光学面の焦点距離である。
【請求項３】
前記第２の正レンズは、以下の条件を満足することを特徴とする請求項１または２に記載の光学系。
０．７０＜｜ｈａｎｍ＿ｆｐ２／ｈｂａｎｍ＿ｆｐ２｜＜０．８５
０．１０＜ｆａｎｍ＿ｆｐ２／ｆ＜０．５０
ただし、ｈａｎｍ＿ｆｐ２は近軸軸上光線が前記第２の正レンズの物体側の光学面を通過する際の光軸からの高さであり、ｈｂａｎｍ＿ｆｐ２は瞳近軸光線が前記第２の正レンズの物体側の光学面を通過する際の光軸からの高さであり、ｆａｎｍ＿ｆｐ２は前記第２の正レンズの焦点距離である。
【請求項４】
前記前記第３レンズ群は、
０．００５＜ΔθｇＦ＿ｍｒ＜０．０３
１０＜νｄ＿ｍｒ＜３０
なる条件を満足する光学材料を用いて形成される少なくとも１つの負レンズを含み、
前記少なくとも１つの負レンズのうち最も像側に配置された第１の負レンズは、
０．０５＜｜ｆａｎｍ＿ｒｎ１／ｆ｜＜０．５０
なる条件を満足することを特徴とする請求項１から３のいずれか一項に記載の光学系。
ただし、ΔθｇＦ＿ｍｒは、ΔθｇＦ＿ｍｒ＝θｇＦ＿ｍｒ−（−１．６６５×１０−７×νｄ＿ｍｒ３＋５．２１３×１０−５×νｄ＿ｍｒ２−５．６５６×１０−３×νｄ＿ｍｒ＋０．７２７８）なる式で定義される異常部分分散比であり、νｄ＿ｍｒおよびθｇＦ＿ｍｒはそれぞれ、前記少なくとも１つの負レンズに用いられる前記光学材料のｇ線、Ｆ線、ｄ線およびＣ線における屈折率をそれぞれｎｇ＿ｍｒ，ｎＦ＿ｍｒ，ｎｄ＿ｍｒおよびｎＣ＿ｍｒとするときに、νｄ＿ｍｒ＝（ｎｄ＿ｍｒ−１）／（ｎＦ＿ｍｒ−ｎＣ＿ｍｒ）で表されるアッベ数およびθｇＦ＿ｍｒ＝（ｎｇ＿ｍｒ−ｎＦ＿ｍｒ）／（ｎＦ＿ｍｒ−  ｎＣ＿ｍｒ）で表される部分分散比であり、ｆａｎｍ＿ｒｎ１は、前記第１の負レンズの焦点距離である。
【請求項５】
前記第３レンズ群は、複数の負レンズを含み、
該複数の負レンズのうち少なくとも１つの負レンズは、
０．０１＜ΔθｇＦ＿ｒｎ２＜０．０５
５０＜νｄ＿ｒｎ２＜７０
なる条件を満足する光学材料を用いて形成されており、
前記複数の負レンズうち像側から２番目に配置された第２の負レンズは、
０．０１＜｜ｆａｎｍ＿ｒｎ２／ｆ｜＜０．３０
なる条件を満足することを特徴とする請求項１から４のいずれか一項に記載の光学系。
ただし、ΔθｇＦ＿ｒｎ２は、ΔθｇＦ＿ｒｎ２＝θｇＦ＿ｒｎ２−（−１．６６５×１０−７×νｄ＿ｒｎ２３＋５．２１３×１０−５×νｄ＿ｒｎ２２−５．６５６×１０−３×νｄ＿ｒｎ２＋０．７２７８）なる式で定義される異常部分分散比であり、νｄ＿ｒｎおよびθｇＦ＿ｒｎ２はそれぞれ、前記少なくとも１つの負レンズに用いられる前記光学材料のｇ線、Ｆ線、ｄ線およびＣ線における屈折率をそれぞれｎｇ＿ｒｎ２，ｎＦ＿ｒｎ２，ｎｄ＿ｒｎ２およびｎＣ＿ｒｎ２とするときに、νｄ＿ｒｎ２＝（ｎｄ＿ｒｎ２−１）／（ｎＦ＿ｒｎ２−ｎＣ＿ｒｎ２）で表されるアッベ数およびθｇＦ＿ｒｎ２＝（ｎｇ＿ｒｎ２−ｎＦ＿ｒｎ２）／（ｎＦ＿ｒｎ２−ｎＣ＿ｒｎ２）で表される部分分散比であり、ｆａｎｍ＿ｒｎ２は前記第２の負レンズの焦点距離である。
【請求項６】
前記第１レンズ群は、非球面を有するレンズを含み、
該非球面は、光軸から周辺に向かって負の屈折力が強くなる形状を有するとともに、
１．００×１０−４＜｜ｄｓａｇ／ｆａｓｐｈ｜＜１．００×１０−３
０．５０＜｜ｈａｓｐｈ／ｈｂａｓｐｈ｜＜０．８５
なる条件を満足することを特徴とする請求項１から５のいずれか一項に記載の光学系。
ただし、ｄｓａｇは前記非球面を通過する最外周の光線の位置における近軸球面に対する該非球面の光軸方向での離れ量であり、ｆａｓｐｈは前記非球面を有するレンズの焦点距離であり、ｈａｓｐｈは近軸軸上光線が前記非球面を通過する際の光軸からの高さであり、ｈｂａｓｐｈは瞳近軸光線が前記非球面を通過する際の光軸からの高さである。
【請求項７】
請求項１から６のいずれか一項に記載の光学系を有することを特徴とする光学機器。
【手続補正２】
【補正対象書類名】明細書
【補正対象項目名】０００９
【補正方法】変更
【補正の内容】
【０００９】
本発明の一側面としての光学系は、物体側から像側に順に、正の屈折力の第１レンズ群と、無限遠物体から近距離物体へのフォーカシングに際して像側に移動する負の屈折力の第２レンズ群と、第３レンズ群とにより構成される。該光学系は、
0.55＜Ltot/f＜0.70
なる条件を満足する。第１レンズ群は、物体側から像側に順に、第１の正レンズと、第２の正レンズと、負レンズと、回折光学素子とを含む。第２の正レンズは、
0.01＜ΔθgF_fp2＜0.05
70＜νd_fp2＜100
なる条件を満足する光学材料を用いて形成されている。そして、回折光学素子は、
0.85＜|hdoe/hbdoe|＜1.30
なる条件を満足する位置に配置されていることを特徴とする。
ただし、ｆおよびLtotはそれぞれ、無限遠物体に合焦したときの全系の焦点距離および光学全長である。また、ΔθgF_fp2は
ΔθgF_fp2＝θgF_fp2−(−1.665×10−７×νd_fp2３＋5.213×10−５×νｄ_fp2２−5.656×10−３×νｄ_fp2＋0.7278）
なる式で定義される異常部分分散比である。
ここで、νｄ_fp2およびθgF_fp2はそれぞれ、第２の正レンズに用いられる光学材料のｇ線、Ｆ線、ｄ線およびＣ線における屈折率をそれぞれng_fp2，nF_fp2，nd_fp2およびnC_fp2とするときに、νd_fp2=(nd_fp2-1)/(nF_fp2-nC_fp2)で表されるアッベ数およびθgF_fp2=(ng_fp2-nF_fp2)/(nF_fp2-nC_fp2)で表される部分分散比である。また、hdoeは近軸軸上光線が回折光学素子の回折光学面を通過する際の光軸からの高さであり、hbdoeは瞳近軸光線が回折光学面を通過する際の光軸からの高さである。